(57)【要約】【課題】  多回線構成においても着信番号／発信者番号をうまく利用した操作性の良い受信ＦＡＸ転送機能を提供する。【解決手段】  着信番号（モデムダイヤルイン）と発信者番号（ナンバーディスプレイ）を同時に取得し振り分け条件する。【選択図】  図１
2008148120.tif 000002
【特許請求の範囲】
【請求項１】
発呼側の電話番号を通知するサービス（ナンバーディスプレイ）と着呼側の電話番号を通知するサービス（モデムダイヤルイン）とを有する加入者交換網に回線を介して接続し、前記加入者交換網から送出される発呼側電話番号及び着呼側電話番号を検出する信号検出手段を有する通信装置において、
発呼側電話番号及び着呼側電話番号を１回の着信で取得する手段、
着信時に通知される発呼側電話番号に対応する予め登録された転送先に受信したＦＡＸ画像を転送する発呼側電話番号転送（ナンバーディスプレイ転送）手段、
着信時に通知される着呼側電話番号に対応する予め登録された転送先に受信したＦＡＸ画像を転送する着呼側電話番号転送（モデムダイヤルイン転送）手段、
発呼側電話番号転送段と着呼側電話番号転送手段が重なった場合に、発呼側電話番号転送手段を有効とすることを特徴とする通信装置。
【請求項２】
前記請求項１の多回線対応通信装置において、転送宛先には装置内のメモリＢＯＸ、ＦＡＸ宛先、ＩＦＡＸ宛先、電子メールアドレスを選択登録できることを特徴とする通信装置。
【請求項３】
前記請求項１の多回線対応通信装置において、以前に受信した発呼側電話番号への送信にはその時受信した着信番号の送信端末識別(TSI)信号を送信することを特徴とする通信装置。
【請求項４】
前記請求項１の多回線対応通信装置において、複数回線機で以前に受信した発呼側電話番号への送信にはその時受信した回線から送信することを特徴とする通信装置。
【発明の詳細な説明】
【技術分野】
【０００１】
本発明は、複数回線を有する通信端末装置において、ナンバーディスプレイ時の発呼側電話番号情報及びモデムダイヤルイン時の着呼側電話番号情報を転送条件とすることができるＦＡＸ受信転送装置に関するものである。
【背景技術】
【０００２】
これまで使用していたＦＡＸ番号を廃止しないで支店の統合やオフィス内の省スペース化を図りたいユーザが、複数台のＦＡＸを１台のＭＦＰに集約してオフィス機器の最適化を図りつつある。これらの事情を背景としてＭＦＰのＦＡＸ多回線要望や受信ＦＡＸ転送関係の要望が増加傾向にある。
【０００３】
従来、ナンバーディスプレイやモデムダイヤルインサービスを同時に扱えるＦＡＸ受信転送装置は無かった。
【０００４】
従来例としては、例えば発信者番号と着信番号とを検出できる構内交換機において、逆発信用の電文メッセージとFAX用通信モデムとを設け、FAX誤着信呼の生じた場合に、内線の所定の操作によって発信元FAXへ逆発信し、予め用意したFAX電文を送信するもの（誤送信であることを送信者に送信する交換機）がある（特許文献１参照）。
【特許文献１】特開平１０−２３２３１号公報
【発明の開示】
【発明が解決しようとする課題】
【０００５】
しかしながら上述した従来の技術では、ダイヤルインサービスとナンバーディスプレイサービスの両方を転送条件として利用したい場合には対応できず、どちらかのみの運用となっていた。
【０００６】
また、回線毎に部門別の管理を行うような使用形態では、発信用回線と着信用回線を明確に管理することが難しかった。
【課題を解決するための手段】
【０００７】
上述した課題・問題点を解決するために、本発明は、
（１）発呼側の電話番号を通知するサービス（ナンバーディスプレイ）と着呼側の電話番号を通知するサービス（モデムダイヤルイン）とを有する加入者交換網に回線を介して接続し、前記加入者交換網から送出される発呼側電話番号及び着呼側電話番号を検出する信号検出手段を有する通信装置において、
発呼側電話番号及び着呼側電話番号を１回の着信で取得する手段、
着信時に通知される発呼側電話番号に対応する予め登録された転送先に受信したＦＡＸ画像を転送する発呼側電話番号転送（ナンバーディスプレイ転送）手段、
着信時に通知される着呼側電話番号に対応する予め登録された転送先に受信したＦＡＸ画像を転送する着呼側電話番号転送（モデムダイヤルイン転送）手段、
発呼側電話番号転送段と着呼側電話番号転送手段が重なった場合に、発呼側電話番号転送手段を有効とすることを特徴とする。
【０００８】
（２）前記請求項１の多回線対応通信装置において、転送宛先には、装置内のメモリＢＯＸ、ＦＡＸ宛先、ＩＦＡＸ宛先、電子メールアドレスを選択登録できることを特徴とする。
【０００９】
（３）前記請求項１の多回線対応通信装置において、以前に受信した発呼側電話番号への送信にはその時受信した着信番号の送信端末識別(TSI)信号を送信することを特徴とする。
【００１０】
（４）前記請求項１の多回線対応通信装置において、複数回線機で以前に受信した発呼側電話番号への送信にはその時受信した回線から送信することを特徴とする。
【００１１】
多回線受信ＦＡＸ転送装置を採用しました。
【発明の効果】
【００１２】
本発明によって、
（１）ダイヤルインサービスとナンバーディスプレイサービスの両方を転送条件として利用したい場合にも有効なＦＡＸ転送装置を提供できる。
【００１３】
（２）相手先（電話番号）により使用される回線及び仮想回線（モデムダイヤルイン時）を自動的にＭＦＰが選択して通信を行うために、回線毎に部門別管理を行うような使用形態でも、部門毎の電話番号と実際に通信に使用される番号に不一致が発生しなくなる。
【発明を実施するための最良の形態】
【００１４】
（実施例１）
以下、図１，図２,図３，図４,図５，図６に示す実施例に基づき、本発明を詳細に説明する。
【００１５】
図１は、本発明を実施した場合に期待できる効果を簡単に描いた転送宛先テーブルである。
【００１６】
着信番号(内線指定番号)が1111と1112のダイヤルイン回線において、転送相手先を決定する対応表である。着信番号1111及び1112の回線で、発信者番号が非通知及び発信者番号での転送先が指定されていない場合には宛先Ａ及び自機内のＢＯＸ２へ転送。また、発信者番号による宛先が指定されている（転送先２，３，４，６）場合には、それぞれの宛先Ｂ，宛先Ｃ，ＢＯＸ２，宛先Ｂへ転送する。
【００１７】
図２は、本発明における通信装置のブロック図である。
【００１８】
図１において、
１０１：ＣＰＵは、システム制御部であり、装置全体を制御する。
【００１９】
１０２：ＲＯＭは、ＣＰＵの制御プログラムを格納するものである。
【００２０】
１０３：ＲＡＭは、ＳＲＡＭ等で構成され、画像データを蓄積する為のものである。
【００２１】
１０４：蓄積メモリは、ＤＲＡＭ等で構成され、画像データを蓄積する為のものである。
【００２２】
１０５：解像度変換処理部は、ラスタデータのミリ−インチ解像度変換等の解像度変換制御を行うものである。
【００２３】
１０６：読取・記録用符号化復号化処理部（読取・記録用コーデック）は、通信装置で扱う画像データの符号化復号化処理を行う。
【００２４】
１０７：時計部は、動作間隔等を計測し、ＩＣ等で構成される。
【００２５】
１０８、１０９：モデムは、回線からの変調された信号を復調したり、逆に装置からの信号を変調し回線に送出するものである。
【００２６】
１１０、１１１：回線ｉ／ｆ部は、ＮＣＵ等で構成される制御部である。電話機の接続端子が２個の場合には、夫々の端子でオフフック／オンフック検知をするために接続端子毎にフック検知回路を有する。
【００２７】
１１２：電話機は、回線ｉ／ｆ部（ＮＣＵ）を通して電話回線に接続されるハンドセット（ダイヤラを持たない電話機）や外付け電話機（留守番電話機等）である。
【００２８】
１１３,１１４：ナンバーディスプレイ及びモデムダイヤルイン契約した電話回線である。
【００２９】
１１５：画像処理部は、スキャナによって読み込まれた画像データに補正処理を施して高精細な画像データを出力するものである。
【００３０】
１１６、１１７：シートスキャナ、ブックスキャナは、ＣＳイメージセンサ、原稿搬送機構などで構成され、原稿を光学的に読み取って電気的な画像データに変換するものである。両面原稿の読み取りを行う。
【００３１】
１１８：操作部は、キーボード、表示部等で構成され、オペレータが各種入力操作を行うためのものである。ハンドセットがオフフック時に即時ダイヤル操作可能を示し。また、外付け電話機がオフフック時には、通信中であることの表示及び通信予約受け付け可能なことを表示する。
【００３２】
１１９：ラインバッファは。画像データの転送制御を行う場合に使用するするラインバッファである。
【００３３】
１２０：プリントバッファは、印字用文字コードを格納する為の１ページ分のバッファメモリである。
【００３４】
１２１：プリンタは、受信画像やファイルデータを普通紙に記録するＬＢＰ等のプリンタであり、両面記録を行うことができる。
【００３５】
図３は、通信装置に着信し受信処理を行う場合のフローチャートである。
【００３６】
通信端末装置は待機中に着信(Ｓ１)があるかを検出している。着信があった場合には、ナンバーディスプレイ／モデムダイヤルインの接続シーケンスに従った接続手順を行い、通信端末は交換機から相手先の電話番号情報及び着信すべき電話番号の内線指定番号情報の受信処理(Ｓ２)を行う。ここで着信した回線番号及び仮想回線番号と相手先電話番号の関連付けを行い、次回にこの相手先電話番号に送信を行う場合の回線選択情報として１０３ＲＡＭ上に記憶する（Ｓ３）。次に、ファクシミリ受信処理を行い１０４画像メモリに受信画像を記憶する（Ｓ４）。受信したＦＡＸ受信画像が予め設定された転送条件と一致しているかいないかの判断（Ｓ５）を行い、一致していなければ通常の受信処理として１２１プリンタから記録出力を行う（Ｓ６）。受信したＦＡＸ受信画像が予め設定された転送条件に一致している場合には、図１でしめされた転送テーブルから宛先を取得し転送処理を行う（Ｓ７）。
【００３７】
図４は、本発明を実施した場合に期待できる効果を簡単に書いた図である。
【００３８】
モデムダイヤルイン回線もおいて、相手先(123-0001)は以前に1111の仮想回線に着信しており、相手先(123-0001)に送信する場合には、1111の回線から送信したことをファクシミリ手順時に相手先へ通知している。
【００３９】
図５は、本発明を実施した場合に期待できる効果を簡単に書いた図である。
【００４０】
複数回線を収容するＭＦＰにおいて、相手先(123-0001)は以前に2222の回線に着信しており、相手先(123-0001)に送信する場合には、2222の回線から送信しナンバーディスプレイのサービスやファクシミリ手順を利用して相手先へ通知している。
【００４１】
図６は、本特許の構成を採用した場合の送信時の回線選択及び相手先への番号通知に関するフローチャートである。
【００４２】
送信時の相手先番号から、以前に着信した相手先から自機の電話番号を選択する（Ｓ２１）。複数回線搭載機かを判断し（Ｓ２２）、複数回線機の場合には、以前に着信した回線を選択して送信処理を行う（Ｓ２４）、モデムダイヤルインに対応した仮想回線に着信した場合には、着信した仮想回線の電話番号をＴＳＩとしてファクシミリ手順で通知する（Ｓ２３）、この際にＴＳＩで通知する電話番号とナンバーディスプレイで通知する番号の不一致がある場合には、発呼時の相手先電話番号の先頭に１８４を付加してナンバーディスプレイにより番号通知を行わない処理を行う。
【図面の簡単な説明】
【００４３】
【図１】本発明を実施した場合に期待できる効果を簡単に描いた転送宛先テーブルである。
【図２】本発明の実施例に係わる通信装置の構成を示すブロック図である。
【図３】本発明の実施例において、通信装置に着信し受信処理を行う場合のフローチャートである。
【図４】本発明を実施した場合に期待できる効果を簡単に書いた図である。
【図５】本発明を実施した場合に期待できる効果を簡単に書いた図である。
【図６】本特許の構成を採用した場合の送信時の回線選択及び相手先への番号通知に関するフローチャートである。
【符号の説明】
【００４４】
101  ＣＰＵ
102  ＲＯＭ
103  ＲＡＭ
104  蓄積メモリ（画像メモリ）
105  解像度変換処理部
106  読取記録用符号化復号化処理部
107  時計部
108,109  モデム
110,111  ＮＣＵ（回線ｉｆ部）
112  電話機
113,114  回線
115  画像処理部
116  シートスキャナ
117  ブックスキャナ
118  操作部
119  ラインバッファ
120  プリントバッファ
121  プリンタ
【図１】
2008148120.tif 000003
【図２】
2008148120.tif 000004
【図３】
2008148120.tif 000005
【図４】
2008148120.tif 000006
【図５】
2008148120.tif 000007
【図６】
2008148120.tif 000008